(57)【要約】【課題】採暖養生又は断熱養生が必要となる気候条件下におけるコンクリート構造物の施工について、簡易かつ安価に施工を行うことを可能としたコンクリート構造物の構築を提案する。【解決手段】ハーフＰＣａ梁部材とハーフＰＣａスラブ部材とを利用して構成された多層階のコンクリート構造物の構築方法であって、フレッシュコンクリートに対して採暖養生又は断熱養生が必要となる気候条件の期間に、各層の躯体構造のうちの柱１および梁２を採暖養生又は断熱養生して構築するとともに、センタコア部分のスラブ３の後打ちコンクリート打設と当該スラブ３のフレッシュコンクリートを採暖養生又は断熱養生し、フレッシュコンクリートに対する採暖養生又は断熱養生が不要となる気候条件の期間に、躯体構造の残りの部分を構築する。【選択図】図１
2010112074.tif 000002
【特許請求の範囲】
【請求項１】
ハーフＰＣａ梁部材とハーフＰＣａスラブ部材とを利用して構成された多層階のコンクリート構造物の構築方法であって、
フレッシュコンクリートに対して採暖養生又は断熱養生が必要となる気候条件の期間に、各層の躯体構造のうちの柱および梁を採暖養生又は断熱養生して構築するとともに、センタコア部分のハーフＰＣａスラブ部材への後打ちコンクリート打設と当該コンクリートに対する採暖養生又は断熱養生を行い、
フレッシュコンクリートに対する採暖養生又は断熱養生が不要となる気候条件の期間に、前記躯体構造の残りの部分を構築することを特徴とする、コンクリート構造物の構築方法。
【請求項２】
前記柱が、プレキャスト柱であることを特徴とする、請求項１記載のコンクリート構造物の構築方法。
【発明の詳細な説明】
【技術分野】
【０００１】
本発明は、コンクリート構造物の構築方法に関する。
【背景技術】
【０００２】
寒冷地における冬期のコンクリート構造物の施工では、作業範囲の全体をシート等により覆い、全体的に採暖又は断熱した状態でコンクリートの養生を行うのが一般的である。
【０００３】
例えば、特許文献１には、作業階の一層上の柱、梁、スラブなどを先行して取り付け、この先行躯体を上屋として利用することで作業階の外周をシート等で覆い、全階を採暖した状態で現場打ちコンクリートの養生を行う施工方法が開示されている。
【０００４】
【特許文献１】特開平４−４９３７４号公報
【発明の開示】
【発明が解決しようとする課題】
【０００５】
ところが、前記従来の施工方法は、作業階を全面的に採暖養生するため、大規模な構造物を施工する場合は、シートの設置作業等の仮設工に手間がかかることや、広範囲にわたる採暖に費用が嵩む場合があった。
【０００６】
本発明は、前記の問題点を解決するためになされたものであり、採暖養生又は断熱養生が必要となる気候条件下におけるコンクリート構造物の施工について、簡易かつ安価に施工を行うことを可能としたコンクリート構造物の構築方法を提案することを課題とする。
【課題を解決するための手段】
【０００７】
前記課題を解決するために、本発明は、ハーフＰＣａ梁部材とハーフＰＣａスラブ部材とを利用して構成された多層階のコンクリート構造物の構築方法であって、フレッシュコンクリートに対して採暖養生又は断熱養生が必要となる気候条件の期間に、各層の躯体構造のうちの柱および梁を採暖養生又は断熱養生して構築するとともに、センタコア部分のハーフＰＣａスラブ部材への後打ちコンクリート打設と当該コンクリートに対する採暖養生又は断熱養生を行い、フレッシュコンクリートに対する採暖養生又は断熱養生が不要となる気候条件の期間に、前記躯体構造の残りの部分を構築することを特徴としている。ここでいうフレッシュコンクリートとは、学術用語でいうまだ固まらないコンクリートと同義である。ここで、センタコア部分とは、躯体構造のうち工事中の建物の剛性と耐震性を確保するために構築する躯体構造であって、コンクリート構造物の平面視略中央部に設定された空間をいう。
【０００８】
また、前記コンクリート構造物の構築方法において、前記柱は、プレキャスト柱であってもよい。
【０００９】
かかるコンクリート構造物の構築方法によれば、躯体工事を継続しつつ構造的に安全な強度を確保した施工を行うことが可能となる。
また、採暖養生又は断熱養生が必要となる期間におけるコンクリートの打設量を少なくし、工期の遅延を抑制するとともに、採暖養生又は断熱養生に要する費用を低減することができる。
【００１０】
ここで、柱および梁の採暖養生又は断熱養生は、柱または梁を構成するために打設されたコンクリートに対して行うものとする。例えば柱が現場打ちコンクリートにより構成される場合は柱全体、柱がプレキャスト柱の場合はパネルゾーン等の部分的に打設されたコンクリートに対して採暖養生又は断熱養生を行う。ここで、パネルゾーンとは、梁と柱との接合部をいう。
また、梁同士の接合部のコンクリート打設を行うとともに、前記コンクリートに対して採暖養生又は断熱養生を行ってもよい。これにより、コンクリートの打設量を少なくするとともに、採暖養生又は断熱養生を必要とする範囲も狭くすることが可能となるため、施工性、経済性に優れている。
【発明の効果】
【００１１】
本発明のコンクリート構造物の構築方法によれば、採暖養生又は断熱養生が必要となる気象条件下におけるコンクリート構造物の施工について、簡易かつ安価にかつ工期を遅らせることなく施工を行うことが可能となる。
【発明を実施するための最良の形態】
【００１２】
以下、本発明の好適な実施の形態について、図面を参照して説明する。なお、説明において、同一要素には同一の符号を用い、重複する説明は省略する。
【００１３】
本実施形態では、図１に示すように、多層階のコンクリート構造物Ｂの構築方法であって、鉄筋コンクリート構造により構築された建物下部Ｂ１の直上に、積層工法により建物上部Ｂ２を構築するコンクリート構造物Ｂの構築方法について説明する。
本実施形態では、採暖養生又は断熱養生が必要となる冬期間が全体工期に含まれている場合を例示する。
【００１４】
建物下部Ｂ１は、在来工法により構築する。建物下部Ｂ１の施工は、冬期間の前に完了している。
建物下部Ｂ１の施工が完了したら、建物下部Ｂ１を利用して建物上部Ｂ２の施工を行う。
【００１５】
建物上部Ｂ２の躯体構造は、柱１、梁２およびスラブ３からなる。柱１は現場打ちコンクリートにより構成し、梁２およびスラブ３はハーフＰＣａ部材と各々の後打ちコンクリートにより構成する。また、バルコニー４はフルＰＣａ部材により構成する。
【００１６】
建物上部Ｂ２は、フレッシュコンクリートに対して採暖養生又は断熱養生が必要となる冬期間（以下、単に「厳冬期養生期間」という場合がある）に、躯体構造のうちの柱１と梁２とを採暖養生又は断熱養生して先行して構築し、フレッシュコンクリートに対する採暖養生又は断熱養生が不要な期間（以下、単に「通常養生期間」という場合がある）に躯体構造の残りの部分を構築する。また、厳冬期養生期間に、センタコア部Ｂｃ（図８（ａ）参照）のスラブ３を構成する後打ちコンクリート打設と採暖養生又は断熱養生を行う。なお、「柱、梁を構築する」とは、その接合部も完成していることを意味する。また、本実施形態では、作業階ｎの真上の作業階（一つ上の階）を「上層階ｎ＋１」と称し、作業階ｎの真下の作業階（一つ下の階）を「下層階ｎ−１」と称する。
【００１７】
厳冬期養生期間における建物上部Ｂ２の施工（コンクリート構造物の構築方法）は、作業階ｎの柱１の構築を行う柱構築工程と、上層階ｎ＋１の梁２の一部となるハーフＰＣａ梁部材（以下、単に「梁部材２１」という）を配置する梁配置工程と、上層階ｎ＋１のスラブ３の一部となるハーフＰＣａスラブ部材（以下、単に「スラブ部材３１」という）を敷設するスラブ部材配置工程と、上層階ｎ＋１のバルコニー４の設置を行うバルコニー配置工程と、梁部材２１やスラブ部材３１の上にコンクリートを後打ちするコンクリート打設工程と、を備えている。
なお、作業階ｎのスラブ部材３１は、前の施工サイクルのスラブ部材配置工程において敷設されたものであり、今回の施工サイクルにおいては柱構築工程、梁配置工程およびコンクリート打設工程を行う際の足場としても使用する。
【００１８】
柱構築工程は、柱１の主筋（以下、単に「柱筋」という）１１の配筋（図２（ａ））、型枠１３の設置（図３（ａ））、コンクリートの打設（図３（ｂ））および打設されたコンクリートの養生（図３（ｃ））により柱１を構築する工程である。なお、柱１のフープ筋は図示していない。
【００１９】
柱筋１１の配筋は、図２（ａ）に示すように、下層階ｎ−１の柱１の上端から突設された柱筋１１’に、作業階ｎの柱１の柱筋１１を連結することにより行う。本実施形態では、機械式継手（カプラー等）１２を利用して柱筋１１，１１’同士を接続する。なお、柱筋１１の継手方式は限定されるものではなく、例えば重ね継手等、適宜公知の方式から選定して行えばよい。
【００２０】
機械式継手１２を利用した継手部については、図２（ｂ）に示すように、機械式継手１２の内部に注入されるグラウトを一定の温度を保持した状態で養生（採暖養生）する。
【００２１】
継手部の採暖養生は、断熱材からなる蓋部材６１を機械式継手１２，１２，…の上方に配置するとともに、養生シート６２により継手部を覆い、シート部材６２の内部に加温手段６０を配設することで行う。なお、継手部の採暖養生の方法は限定されるものではなく、適宜公知の方法により行えばよい。なお、図２（ｂ）における符号６３は、シート部材６２を柱筋１１に固定するための固定部材である。
【００２２】
柱筋１１の配筋が終了したら、図３（ａ）に示すように、柱筋１１の周囲を囲うように柱１の型枠１３を設置する。
型枠１３の設置が終了したら、図３（ｂ）に示すように、型枠１３の内部にコンクリートを打設する。
【００２３】
フレッシュコンクリートの養生は、図３（ｃ）に示すように、柱１の上端から突設された柱筋１１および柱１の上部を断熱シート６４により覆った状態で行う（断熱養生）。
断熱シート６４で覆うことにより、鉄筋やコンクリート打設表面が直接外気に触れないようにして放熱することを防止する。
【００２４】
梁配置工程は、柱構築工程において形成された柱１を利用して上層階ｎ＋１の梁２を横架する工程である。梁２の設置は、図４（ａ）に示すように、梁部材２１の両端を、柱１や仮設架台７に載置することにより行う。
【００２５】
梁２は、図４（ｂ）に示すように、梁部材２１と、梁部材２１の上面に形成された後打ちコンクリート体２２とにより構成されている。
【００２６】
梁部材２１は、上面に凹部２１ａが形成されており、断面凹字状に形成されている。また、梁部材２１の下部には、複数本（本実施形態では４本）の梁２の主筋（以下、単に「梁筋」という）２３，２３，…が埋設されている。なお、梁部材２１の形状等は限定されるものではない。
【００２７】
梁筋２３は、梁部材２１の端面から軸方向に沿って突出しており、軸方向に隣接する他の梁部材２１から突設された梁筋２３と接合される。なお、梁筋２３同士の接合方法は適宜公知の方法により行えばよいが、本実施形態では、溶接接合により行う。溶接箇所の急激な温度低下を防止するために、溶接箇所の周囲を図示しない保温材により覆うことが望ましい。
【００２８】
梁部材２１同士は、後記するコンクリート打設工程において、接合部２４にコンクリートを打設することで互いに接合する（図９（ａ）参照）。
【００２９】
梁２を構成する後打ちコンクリート体２２は、図４（ｂ）に示すように、梁部材２１の上面に打設されたコンクリートからなり、梁部材２１の上方に配置された複数本（本実施形態では４本）の梁筋２３，２３，…を巻き込んでいる。
なお、梁２の後打ちコンクリート体２２となるコンクリートを打設する作業は、先行して構築されているパネルゾーンを除き、次回の施工サイクルのコンクリート打設工程において、上層階ｎ＋１のスラブ３を構成する後打ちコンクリート体３２となるコンクリートを打設する作業と同時に行う。
【００３０】
スラブ部材配置工程は、図５に示すように、梁配置工程において配置された上層階ｎ＋１の梁部材２１に、上層階ｎ＋１のスラブ３のスラブ部材３１を横架する工程である。
【００３１】
スラブ３は、オムニア板やカイザー板等からなるいわゆるスラブ部材３１と、スラブ部材３１の上面に形成された後打ちコンクリート体３２（図８（ｂ）参照）とにより構成されている。スラブ部材配置工程では、スラブ部材３１の敷設のみを行うものとする。なお、スラブ部材３１の敷設は、センタコア部Ｂｃだけでなく、上層階ｎ＋１全体に対して行う。
【００３２】
バルコニー設置工程は、図６に示すように、外側に面する梁部材２１（梁２）を介して、フルＰＣａ部材からなる上層階ｎ＋１のバルコニー４を設置する工程である。
バルコニー４の設置作業は、クレーン等の揚重機械Ｃ（図１参照）を利用して行う。
【００３３】
コンクリート打設工程には、上層階ｎ＋１において行われる打設工程と、作業階ｎにおいて行われる打設工程と、が含まれている。
【００３４】
上層階ｎ＋１における打設工程では、図７に示すように、上層階ｎ＋１のパネルゾーン５にある梁部および梁部材２１同士の接合部２４にコンクリートを打設する。
【００３５】
梁部材２１同士の接合部２４に打設されたコンクリート（後打ちコンクリート）に対する養生は、例えば図９（ａ）に示すように、接合部２４の上面を箱部材６２により覆い、下部を養生シート６１により覆った状態で採暖養生を行う。
【００３６】
また、パネルゾーン５にある梁部に打設されたコンクリート（後打ちコンクリート）は、図９（ｂ）に示すように、上方に突出する柱１の柱筋１１，１１，…を含めて梁部の後打ちコンクリート全体を断熱シート（養生シート６１）により覆い、加温手段６０として練炭等を入れた状態で採暖養生する。
【００３７】
上層階ｎ＋１における打設工程が終了したら、作業階ｎにおける打設工程を行う。
作業階ｎにおける打設工程では、図８（ａ）に示すように、センタコア部Ｂｃにおいて、作業階ｎの梁２の後打ちコンクリート体２２およびスラブ３の後打ちコンクリート体３２となるコンクリートを同時に打設する（すなわち、梁部材２１への後打ちコンクリート打設およびスラブ部材３１への後打ちコンクリート打設を同時に行う）。
【００３８】
センタコア部Ｂｃに位置するスラブ３の後打ちコンクリートに対する養生は、センタコア部Ｂｃの周囲を覆うように養生シート６１を配設し、加温手段を利用して採暖した状態で行う。なお、上層階ｎ＋１の梁部材２１およびスラブ部材３１を上屋とし、養生シート６１は、例えば図８（ｂ）に示すように、柱１やサポート材７１に固定する。
【００３９】
上記の通り、厳冬期養生期間では、当該期間中に打設したコンクリートの養生を採暖養生又は断熱養生にて行う。
【００４０】
引き続き、上層階ｎ+１を作業階として、次回の施工サイクル（柱構築工程、梁配置工程と、スラブ配置工程、バルコニー配置工程、コンクリート打設工程）を行うことで所定階層まで積層する。
【００４１】
通常養生期間になったら、各階層の残りの部分（センタコア部Ｂｃ以外のスラブ３の後打ちコンクリート部分）に対してコンクリート打設と通常の養生を行うことで、躯体構造を完成させる。
【００４２】
以上、本実施形態のコンクリート構造物の構築方法によれば、採暖養生又は断熱養生をコンクリート躯体構造全体に対して行うのではなく、所定の部位や範囲について行うため、採暖養生又は断熱養生に要する費用の低減化が可能となる。
【００４３】
また、躯体工事を継続して行うため、全体工期に遅れをきたすことがない。
また、採暖養生又は断熱養生において、上階のハーフＰＣａ部材を養生用の上屋として使用することで、養生用の仮設工を省略することが可能となり、施工の手間と費用の削減を図ることが可能となる。  
【００４４】
以上、本発明に係る好適な実施の形態について説明したが、本発明は前記の各実施の形態に限られず、本発明の趣旨を逸脱しない範囲で適宜設計変更が可能である。
例えば、前記実施形態では、柱として、現場施工により構築するものとしたが、プレキャスト部材により柱を構築してもよく、柱の構成は限定されるものではない。この場合において厳冬期養生期間におけるコンクリート打設は、梁同士の接合部、センタコア部のスラブ後打ちコンクリートおよびパネルゾーンのみとなるため、さらなる作業性の向上や工期短縮を図ることができる。
【００４５】
また、コンクリート構造物の規模等は限定されるものではない。
また、前記実施形態では、厳冬期養生期間として、採暖養生又は断熱養生が必要となる冬期の場合について説明したが、厳冬期養生期間の時期は限定されるものではない。
【００４６】
また、厳冬期養生期間に打設されたコンクリートに対する採暖養生又は断熱養生の選択は、気候条件や施工箇所等に応じてから適宜行えばよく、前記の選択に限定されるものではない。さらに、採暖養生又は断熱養生の方法は、限定されるものではなく、適宜行えばよい。
【図面の簡単な説明】
【００４７】
【図１】本発明の好適な実施の形態にかかるコンクリート構造物を示す立面図である。
【図２】（ａ）は図１のコンクリート構造物の構築方法に係る柱の主筋配筋状況を示す斜視図であって、（ｂ）は主筋接合部の養生状況を示す立面図である。
【図３】図１のコンクリート構造物の柱の施工状況を示す斜視図であって、（ａ）は型枠設置時、（ｂ）はコンクリート打設時、（ｃ）は養生時を示している。
【図４】（ａ）は図１のコンクリート構造物の梁部材の設置状況を示す斜視図であって、（ｂ）は梁部材の断面図である。
【図５】図１のコンクリート構造物の床版部材の設置状況を示す斜視図である。
【図６】図１のコンクリート構造物のバルコニーの設置状況を示す斜視図である。
【図７】図１のコンクリート構造物のコンクリート打設状況を示す斜視図である。
【図８】（ａ）は図１のコンクリート構造物の平面図、（ｂ）はセンタコア部の養生状況を示す縦断面図である。
【図９】（ａ）は梁接合部の養生状況を示す断面図、（ｂ）はパネルゾーンにある梁の後打ちコンクリートの養生状況を示す断面図である。
【符号の説明】
【００４８】
１    柱
２    梁
２１  梁部材（ハーフＰＣａ梁部材）
２２  後打ちコンクリート体
３    スラブ
３１  スラブ部材（ハーフＰＣａスラブ部材）
３２  後打ちコンクリート体
４    バルコニー
【図１】
2010112074.tif 000003
【図２】
2010112074.tif 000004
【図３】
2010112074.tif 000005
【図４】
2010112074.tif 000006
【図５】
2010112074.tif 000007
【図６】
2010112074.tif 000008
【図７】
2010112074.tif 000009
【図８】
2010112074.tif 000010
【図９】
2010112074.tif 000011